(57)【要約】本願発明に係るブラジャーカップは、表面が湾曲凸状のカップ部（２０）及び前記カップ部から延在された鍔部（２１）を有し例えば不織布又はウレタンフォームから成る基体（２）と、前記カップ部と鍔部の境界部分（ＢＴＭ）に沿って前記カップ部の湾曲凸状表面の一部に重ねて固定され例えば不織布又はウレタンフォームから成る補強体（３）とを有して構成される。加熱及び加圧にて湾曲面が形成された基体だけでは不十分な形状サポート力を、第１に、カップ部縁辺部に形成した鍔部で補強し、第２に、カップ部表面の補強体及び鍔部表面の補強体で強化するから、ブラジャーカップを適用したブラジャーなどは形状サポート力強化のための金属ワイヤを縫製にて取り付けることを要しない。形状サポート力はカップ部のボトム近傍で強化されるから、補強体はブラジャーカップ全体の柔軟性を損なわない。
2002054894.tif 000002
【特許請求の範囲】
【請求項１】
表面が湾曲凸状のカップ部及び前記カップ部から延在された鍔部を有する基体と、前記カップ部と鍔部の境界部分に沿って前記カップ部の湾曲凸状表面の一部に重ねて固定された補強体と、を有して成るものであることを特徴とするブラジャーカップ。
【請求項２】
表面が湾曲凸状のカップ部及び前記カップ部から延在された鍔部を有する基体と、前記カップ部と鍔部の境界部分に沿って前記カップ部の湾曲凸状表面の一部及び鍔部の表面の一部に重ねて固定された補強体と、を有して成るものであることを特徴とするブラジャーカップ。
【請求項３】
表面が湾曲凸状のカップ部及び前記カップ部から延在された鍔部を有する基体と、前記カップ部と鍔部の境界部分に沿って前記鍔部の表面の一部に重ねて固定された補強体と、を有して成るものであることを特徴とするブラジャーカップ。
【請求項４】
表面が湾曲凸状のカップ部及び前記カップ部から延在された鍔部を有する基体と、前記カップ部と鍔部の境界部分に沿って前記カップ部の湾曲凸状裏面の一部に重ねて固定された補強体と、を有して成るものであることを特徴とするブラジャーカップ。
【請求項５】
表面が湾曲凸状のカップ部及び前記カップ部から延在された鍔部を有する基体と、前記カップ部と鍔部の境界部分に沿って前記カップ部の湾曲凸状裏面の一部及び鍔部の裏面の一部に重ねて固定された補強体と、を有して成るものであることを特徴とするブラジャーカップ。
【請求項６】
前記基体は不織布又はポリウレタンフォームから成り、前記補強体は不織布又はポリウレタンフォームから成るものであることを特徴とする請求の範囲第１項乃至第５項の何れか１項記載のブラジャーカップ。
【請求項７】
前記基体及び補強体の一方又は双方は、熱軟化性の融着繊維を含む不織布であり、加熱及び加圧による前記融着繊維の溶融軟化を介して基体に補強体が固定されたものであることを特徴とする請求の範囲第１項乃至第５項の何れか１項記載のブラジャーカップ。
【請求項８】
請求の範囲第１項乃至第７項の何れか１項記載のブラジャーカップが布地に一対取り付けられたものであることを特徴とする衣類。
【発明の詳細な説明】
技術分野
本発明は、バストラインを整えるため（胸部保形）若しくは補正するためにブラジャーやボディースーツなどの下着、或いは上着、更には水着などの各種衣類に適用されるブラジャーカップに関する。
背景技術
ブラジャーカップはバストラインを整えるためにある程度の形状サポート力が要求され、また、着用時に圧迫感無く且つ運動性も良好でなければならないため柔軟性も必要とされる。ブラジャーカップとしては例えばポリエステル系などの不織布を成形型にて加熱及び加圧して比較的柔軟に形成したものがある。このようなブラジャーカップを布地に一対縫製固定したブラジャーなどは、夫々の素材が比較的柔軟であるため、所要の形状サポート力を得ることができない場合がある。このため、ステンレスなどの金属ワイヤをブラジャーカップのボトムの湾曲形状に沿ってブラジャーの布地にブラジャーカップと一緒に縫製固定する構造が従来から採用されている。
しかしながら金属ワイヤを用いる構成は、ブラジャーなどの縫製工程を複雑化し、また、汗などで金属ワイヤが腐食しないようその材料も吟味しなければならず、コスト上昇をもたらし、その上、経時的に縫製部分が劣化するとワイヤが飛び出して怪我をする虞がある。
そこで、本発明者は、ブラジャーカップの縁辺に熱軟化性融着繊維を含む補強体を設ける技術について先に出願した（特開平８−２４６２０５号）。その後、本発明者は当該技術について鋭意検討した結果、形状サポート力の強化、そして製造容易化の観点より新たな改良の必要性を見出した。
本発明の目的は、金属ワイヤを用いることなく必要な形状サポート力を発揮させることができると共に製造が容易で、しかも、ワイヤ飛び出しによる事故を未然に防止することができるブラジャーカップ、並びに衣類を提供することにある。
発明の開示
本願発明に係る第１態様に係るブラジャーカップは、表面が湾曲凸状のカップ部及び前記カップ部から延在された鍔部を有し例えば不織布又はウレタンフォームから成る基体と、前記カップ部と鍔部の境界部分に沿って前記カップ部の湾曲凸状表面の一部に重ねて固定され例えば不織布又はウレタンフォームから成る補強体と、を有する。
第２の態様に係るブラジャーカップは、表面が湾曲凸状のカップ部及び前記カップ部から延在された鍔部を有し例えば不織布又はウレタンフォームから成る基体と、前記カップ部と鍔部の境界部分に沿って前記カップ部の湾曲凸状表面の一部及び鍔部の表面の一部に重ねて固定され例えば不織布又はウレタンフォームから成る補強体と、を有する。
第３の態様に係るブラジャーカップは、表面が湾曲凸状のカップ部及び前記カップ部から延在された鍔部を有し例えば不織布又はウレタンフォームから成る基体と、前記カップ部と鍔部の境界部分に沿って前記鍔部の表面の一部に重ねて固定され例えば不織布又はウレタンフォームから成る補強体と、を有する。
第４の態様に係るブラジャーカップは、表面が湾曲凸状のカップ部及び前記カップ部から延在された鍔部を有し例えば不織布又はウレタンフォームから成る基体と、前記カップ部と鍔部の境界部分に沿って前記カップ部の湾曲凸状裏面の一部に重ねて固定され例えば不織布又はウレタンフォームから成る補強体と、を有する。
第５の態様に係るブラジャーカップは、表面が湾曲凸状のカップ部及び前記カップ部から延在された鍔部を有し例えば不織布又はウレタンフォームから成る基体と、前記カップ部と鍔部の境界部分に沿って前記カップ部の湾曲凸状裏面の一部及び鍔部の裏面の一部に重ねて固定され例えば不織布又はウレタンフォームから成る補強体と、を有する。
第１乃至第５態様において、前記補強体の好適な一例は、熱軟化性の融着繊維を含む不織布であり、加熱及び加圧による前記融着繊維の溶融軟化にて基体に固定すればよい。基体にも同様に熱軟化性の融着繊維を含んでおけば更に良い。
上記加熱は、成形型を昇温して行い、或いは成形型による加圧前に素材それ自体に予じめ熱を加えておくようにしてもよい。
上記した手段によれば、加熱及び加圧等にて湾曲面が形成された基体だけでは不十分な形状サポート力を、第１に、カップ部から延在された鍔部で補強し、第２に、カップ部表面の補強体及び鍔部表面の補強体で強化する。したがって、本願発明に係るブラジャーカップを適用したブラジャーなどは形状サポート力強化のための金属ワイヤを縫製にて取り付けることを要しない。形状サポート力はカップ部と鍔部の境界部分近傍で強化されるから、補強体はブラジャーカップ全体の柔軟性を損なわない。また、補強体は面でブラジャーカップの形状サポート力を強化し、金属ワイヤのように線で強化するのとは異なるから、用途や柔軟性の好みに応じてカップの部位に対する形状サポート力の配分も自由に設定でき、その上、ブラジャーカップのデザインの自由度も向上させる。
さらに、補強体に融着繊維を含め、或は基体と補強体の双方に融着繊維を含めることにより、基体と補強体を同一の加熱及び加圧工程で一体的に成形するだけで双方を固定して成形する作業を効率化でき、上記ブラジャーカップの製造が極めて容易になる。ウレタンフォームと不織布、ウレタンフォーム同士の固定には熱接着を併用してよい。
補強体をカップ部の表面に配置することにより、基体に比べて硬い補強体を利用しても装着感を良好に維持することが容易である。
ブラジャーカップに要求される形状サポート力はハーフカップ、フルカップと言ったカップ形状、そしてカップの容積、さらには利用者の体格などによって相違されることが経験上見出されている。更にはデザインやプロポーションを重視する見地から形状サポート力の配分を考慮しなければならない場合もある。このような種々の要求に対して補強体の幅寸法を部分的に若しくは漸次変化させることによって対処できる。
上記ブラジャーカップは一対布地に縫製固定或は袋部分に挿入固定されて、ブラジャーやボディースーツなどの下着、或いは適宜の上着、更には水着などの各種衣類を構成することができる。
発明を実施するための最良の形態
第１図には本発明の第１態様に係るブラジャーカップが例示され、そのＡ−Ａ線矢視断面は第２図に示される。
本実施例のブラジャーカップ１は表面が湾曲凸状のカップ部２０及び前記カップ部２０から延在された鍔部２１を有し不織布の加熱及び加圧にて成形された基体２と、前記カップ部２０と鍔部２１の境界部分に沿って前記カップ部２０の湾曲凸状表面の一部に重ねて固定された不織布から成る補強体３とを有し、図示を省略する成形型による加熱及び加圧にて一体的に成形されて成る。
前記基体２及び補強体３は、特に制限されないが、それぞれシート状のポリエステル系不織布を材料とする。不織布としては構成繊維の接着に合成樹脂ラテックス接着剤などを利用するもの、そして熱処理にて接着させる融着繊維（熱接着性繊維、バインダーファイバー）を利用するものがある。融着繊維は単一成分系のものと複合型のものとがあり、前者は、８０〜２２０℃程度で解ける低融点の高分子化合物（ポリマー）からなる繊維であり、後者はそのような低融点ポリマーとそれよりも融点の高いポリマーとを芯鞘型に若しくは偏心型に複合したものである。現在市販されている単一成分系の融着繊維はポリエステル系のものがあり、複合型の低融点／高融点ポリマとしてはポリエステル／ポリエステル系、ポリエチレン／ポリエステル系、ポリエステル／ポリプロピレン系などがある。そのような融着繊維は非融着繊維と混合して利用することはもとより、それ単独でも利用できる。
前記補強体３及び基体２の夫々を構成するポリエステル系不織布は、ポリエステル繊維の他に当該ポリエステル繊維の溶融軟化点以下の温度例えば１７０℃程度で軟化する熱溶融性の上記融着繊維を含んでいる。融着繊維の配合比は基体２に比べて補強体３の方が多くされ、成形型による加熱及び加圧後の硬度は後者の方が高くなるようにされている。ポリエステル繊維と融着繊維との配合比率の一例を挙げると、基体２は、１３デニールのポリエステル繊維を８０％、４デニールの熱溶融性の融着繊維を２０％含んで構成される。このとき補強体３は熱溶融性の融着繊維を５０％以上含み、熱溶融性の融着繊維が１００％であることを妨げない。
上記２種類の不織布を用いてブラジャーカップを成形するに当たり、その形状を規定するのに雄型及び雌型から成る成形型（図示を省略）を用いる。例えば、雄型の上に順次、第３図に示されるように、基体２の材料とされる不織布２ａ及び補強体３の材料とされる所定形状に裁断された不織布３ａが位置決めされて積層配置され、その上を雌型で加圧する。そのときの成形型の温度は例えば１７０℃、圧力は１Ｋｇ／ｃｍ２とされる。そのように加熱及び加圧成形されると、不織布２ａ，３ａはそれに含まれる融着繊維が溶融加圧された後に硬化する結果、成形型の雄型と雌型に挟まれた空間の形状を自立的に維持しようとし、且つ不織布２ａと３ａは融着される。加熱及び加圧成形後、ブラジャーカップ１はカップ部２０に鍔部２１を残した状態で裁断され、第１図に示される完成品とされる。
加熱及び加圧成形された後に裁断されたブラジャーカップ１において、第１図に示されるように、カップ部２０は表面が湾曲凸状を呈し、カップ部２０と鍔部２１との境界部分はカップボトムＢＴＭとされ、頂点部分はカップトップＴＯＰとされる。鍔部２１はカップボトムＢＴＭから外方に延在されている。カップ部２０の凸状湾曲面の形状は指で押せば容易に変形する柔軟性を有するが、前記融着繊維の作用によって指を離せば元に戻る。補強体３は、カップボトムＢＴＭに沿った円弧を持つ概略扇形にされる。即ち、その長さ方向両端部から中央部に近づく程漸次大きくされた幅を持つようにされている。この補強体３は前記基体２よりも多く配合された融着繊維の作用によって基体２よりも硬くなっており、基体２に対するよりも大きな力を与えて初めて弾性変形する。
第４図には上記実施例のブラジャーカップ１を適用したブラジャーの一例が示される。１Ｒは右用のブラジャーカップ、１Ｌは左用のブラジャーカップであり、ブラジャーカップ１Ｒは第１図の形状を有し、ブラジャーカップ１Ｌは第１図に対して線対照の形状が設定されている。第４図のブラジャー５は、所定形状に裁断された綿布などの表地と裏地の間に一対のブラジャーカップ１Ｒ，１Ｌを挟み込んで縫製されて成る。
以上のように構成されたブラジャーカップ１は、加熱及び加圧にて湾曲面が形成された柔軟な基体２だけでは不十分な形状サポート力を、鍔部２１及びその近傍に配置された補強体３が強化する。したがって、ブラジャーカップ１を適用したブラジャーなどは形状サポート力強化のための金属ワイヤを縫製にて取り付けることを要しない。形状サポート力はカップボトムＢＴＭ近傍で強化されるから、相対的に硬度の高い補強体３はブラジャーカップ全体の柔軟性を損なわない。さらに、前記補強体３を前記カップ部の湾曲凸状表面に配置するから、ブラジャーカップの使い心地若しくは装着感の悪化を未然に防止する事ができる。
さらに、ブラジャーカップ１の加熱及び加圧成形のために融着繊維を利用し、補強体３におけるその含有量を基体２に対するよりも多くすることにより、基体２と補強体３を同一の加熱及び加圧工程で一体的成形するだけで補強体３の硬度を相対的に高くすることができ、上記ブラジャーカップ１の製造を容易化することができる。
また、補強体３は、面でブラジャーカップの形状サポート力を強化し、金属ワイヤのように線で強化するのとは異なるから、用途や柔軟性の好みに応じてカップの部位に対する形状サポート力の配分も自由に設定でき、デザインの自由度も向上させることができる。例えば第５図のように補強体３の面積を第１図に比べて小さくすることができる。また、第６図のように補強体３が、カップボトムＢＴＭの長さ方向両端部と中央部とで極大とされた幅を持つようにして、正面と共に左右側面部におても形状サポート力を相対的に大きくすることができる。或いは第７図及び第８図に示されるように、前記補強体３が、カップボトムＢＴＭの長さ方向中央部から両端部に近づく程漸次大きくされた幅を持つようにして、ブラジャーカップの側面部での形状サポート力を相対的に大きくすることも容易である。そして、第９図のように補強体３の幅を一定にすることも可能である。さらに、第１０図のように、補強体３を多層化する事も可能である。３１，３２は相互に硬度の相違される補強体である。用途や好みに応じ一方の補強体３２に比べて他方の補強体３１の硬度を相対的に高くしたり、その逆に設定することができる。
第１１図には本発明の第２態様に係るブラジャーカップが例示される。同図に示されるブラジャーカップ１は、補強体３が鍔部２１の表面に張り出して固定されている点が第１図と相違される。これにより、鍔部２１による形状サポート力も補強体３により強化される。
第１２図には本発明の第３態様に係るブラジャーカップが例示される。同図に示されるブラジャーカップは、カップ部２０の形状サポート力を鍔部２１とそこに設けた補強体３で実現した点が第１図の構成と相違される。
第１３図には本発明の第４態様に係るブラジャーカップが例示される。同図に示されるブラジャーカップは、鍔部２１の面積を大きくし、更に、第１４図の断面からも明らかなように補強体３をカップ部２の湾曲凸状裏面に固定した点が第１図の構成と相違される。
第１５図には本発明の第５態様に係るブラジャーカップが例示される。同図に示されるブラジャーカップは、鍔部２１の面積を大きくし、更に、第１６図の断面からも明らかなように、補強体３をカップ部２の湾曲凸状裏面から鍔部２１の裏面に張り出して固定し、更に、補強体３の上から全体を被覆布４で覆って構成した点が第１図の構成と相違される。前記被覆布４には同じく不織布を採用してよいが、柔軟性を損なわないように融着繊維の含有量は少ない方がよい。
以上本発明者によってなされた発明を実施例に基づいて具体的に説明したが、本発明はそれに限定されるものではなく、その要旨を逸脱しない範囲において種々変更可能であることは言うまでもない。基体はポリエステル系不織布に限定されず、ポリウレタン系やポリプロピレン系不織布などを採用することも可能である。或いはポリエステル類又はポリエーテル類のウレタンフォームを用いることも可能である。補強体としても上記ウレタンフォームを採用することが可能である。ウレタンフォーム同士、ウレタンフォームと不織布との固定には熱接着を併用するとよい。更に、基体又は補強体には不織布又はポリウレタンフォーム以外に織布を用いてもよい。ブラジャーカップは上記実施例のフルカップのサイズに限定されずハーフカップなどその大きさや全体的な形状は種々変更可能である。鍔部の大きさ及び形状は適宜変更可能である。
また上記実施例では素材に対する加熱及び加圧をともに成形型にて行う場合について説明したが、予じめ素材を炉の中で加熱してから成形型にて加圧することも可能である。双方を併用してもよい。
更に、ブラジャーカップはボディースーツや水着などの種々の衣類に適用することができる。
産業上の利用可能性
本発明は、ブラジャーやボディースーツ等の下着、ドレス等の適宜の上着、或いは水着等の各種衣類に用いられるブラジャーカップに広く適用することができる。
【図面の簡単な説明】
第１図は本発明の第１態様に係るブラジャーカップの斜視図である。
第２図は第１図のＡ−Ａ線矢視断面図である。
第３図は加熱及び加圧成形前後の状態を代表的に示す製造工程説明図である。
第４図は第１図のブラジャーカップを適用したブラジャーの一実施例正面図である。
第５図は第１態様のブラジャーカップに別の形状の補強体を採用した実施例を示す斜視図である。
第６図は第１態様のブラジャーカップに別の形状の補強体を採用した実施例を示す斜視図である。
第７図は第１態様のブラジャーカップに第１の別の形状の補強体を採用した実施例を示す斜視図である。
第８図は第１態様のブラジャーカップに第２の別の形状の補強体を採用した実施例を示す斜視図である。
第９図は第１態様のブラジャーカップに第３の別の形状の補強体を採用した実施例を示す斜視図である。
第１０図は第１態様のブラジャーカップに第４の別の形状の補強体を採用した実施例を示す斜視図である。
第１１図は第２態様に係るブラジャーカップの斜視図である。
第１２図は第３態様に係るブラジャーカップの斜視図である。
第１３図は第４態様に係るブラジャーカップの斜視図である。
第１４図は第１３図のＡ−Ａ線矢視断面図である。
第１５図は第５態様に係るブラジャーカップの斜視図である。
第１６図は第１５図のＡ−Ａ線矢視断面図である。
【図１】
2002054894.tif 000003
【図２】
2002054894.tif 000004
【図３】
2002054894.tif 000005
【図４】
2002054894.tif 000006
【図５】
2002054894.tif 000007
【図６】
2002054894.tif 000008
【図７】
2002054894.tif 000009
【図８】
2002054894.tif 000010
【図９】
2002054894.tif 000011
【図１０】
2002054894.tif 000012
【図１１】
2002054894.tif 000013
【図１２】
2002054894.tif 000014
【図１３】
2002054894.tif 000015
【図１４】
2002054894.tif 000016
【図１５】
2002054894.tif 000017
【図１６】
2002054894.tif 000018
【国際調査報告】
2002054894.tif 000019
2002054894.tif 000020
2002054894.tif 000021